【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
電気デバイスのための電源装置であって、
ａ）一次側の一次巻線と二次側の二次巻線とを備える変圧器であって、上記一次巻線は交流電圧源に接続可能であり、上記二次側の回路は上記電気デバイスに直流出力電圧を供給するように設けられる変圧器と、
ｂ）上記変圧器の一次巻線と上記交流電圧源との間のスイッチと、
ｃ）上記交流電圧を整流するための整流器とを備え、
上記スイッチは、上記整流された交流電圧がゼロから極大値に増加しているときのある時点で、かつ上記整流された交流電圧が非ゼロ値まで増加するとオンに切り換わり、これにより、上記一次巻線に電流の流れを供給し、それにより、上記二次巻線に電流の流れを供給するように設けられ、
上記スイッチは、上記整流された交流電圧が再び増加し始める前にオフに切り換わるように設けられる電源装置。
【請求項２】
上記スイッチは、上記整流された交流電圧の各ピークの近くでオンに切り換わるように設けられる請求項１記載の電源装置。
【請求項３】
スイッチタイマをさらに備え、上記スイッチタイマはスイッチコントローラに接続され、もしくはスイッチタイマのリセットによって動作可能であり、上記スイッチタイマのリセットは、上記スイッチがオフに切り換えられた後に上記スイッチタイマをリセットするように設けられる請求項１記載の電源装置。
【請求項４】
上記一次巻線に流れる電流の量を制限するように設けられる電流制限器をさらに備え、上記電流制限器は少なくとも１つの電荷蓄積デバイスを備える請求項１記載の電源装置。
【請求項５】
上記電源装置は、上記電流制限器の上記少なくとも１つの電荷蓄積デバイスが実質的に満充電されると、電流が上記一次巻線を通って流れることが停止されるように設けられる請求項４記載の電源装置。
【請求項６】
上記スイッチは、正のフィードバックを使用することによりオフからオンへの高速の切り換えを行うように設けられる請求項１記載の電源装置。
【請求項７】
高電圧における上記デバイスの破壊を防止するための電圧制限器をさらに備え、上記電圧制限器は、上記整流された交流電圧がゼロから極大値に増加しているときに充電するように設けられる電荷蓄積デバイスを備える請求項１記載の電源装置。
【請求項８】
上記整流器は上記交流電圧を全波整流するように設けられる請求項１記載の電源装置。
【請求項９】
上記二次側の回路は、各交流サイクルの間に充電する電荷蓄積デバイスを介して上記電気デバイスに上記出力電圧を供給する請求項１記載の電源装置。
【請求項１０】
上記スイッチの上記切り換えにより発生される電磁放射を低減するための回路をさらに備える請求項１記載の電源装置。
【請求項１１】
上記直流出力電圧を調整するためのレギュレータをさらに備える請求項１記載の電源装置。
【請求項１２】
上記電流は、上記スイッチがオフに切り換えられるときに、上記二次巻線に流れる請求項１記載の電源装置。
【請求項１３】
電気デバイスに電力を供給するための方法であって、
ａ）一次巻線と二次巻線とを有する変圧器を提供するステップであって、上記一次巻線はスイッチを介して交流電圧源に接続されており、
ｂ）上記交流電圧を整流するための整流器を提供するステップと、
ｃ）上記整流された交流電圧がゼロから極大値に増加しているときに、上記整流された交流電圧が非ゼロ値まで増加すると、上記スイッチをオンに切り換えることにより、上記一次巻線に電流の流れを供給し、それにより、上記二次巻線に電流の流れを供給するステップと、
ｄ）上記二次巻線に流れる上記電流の流れを上記電気デバイスのための直流出力電圧に変換するステップと、
ｅ）上記整流された交流電圧が再び増加し始める前に上記スイッチをオフに切り換えるステップとを含む方法。
【請求項１４】
上記スイッチをオンに切り換えるステップｃ）は、上記整流された交流電圧の各ピークの近くで上記スイッチをオンに切り換えることを含む請求項１３記載の方法。
【請求項１５】
上記一次巻線に流れる電流は電流制限器によって制限され、上記電流制限器は少なくとも１つの電荷蓄積デバイスを備える請求項１３記載の方法。
【請求項１６】
上記スイッチをオフに切り換えるステップｅ）は、上記電荷蓄積デバイス又は上記電流制限器のデバイスが実質的に満充電されると上記スイッチをオフに切り換えることを含む請求項１５記載の方法。
【請求項１７】
上記整流された交流電圧がゼロから極大値に増加しているときに電荷蓄積デバイスを充電するステップをさらに含み、上記電荷蓄積デバイスは上記スイッチのためのＲＣタイマの一部を構成し、もしくは、高電圧における上記デバイスの破壊を防止するための電圧制限器として機能する請求項１３記載の方法。
【請求項１８】
上記電流は、上記スイッチがオフに切り換えられると、上記二次巻線に流れる請求項１３記載の方法。
【請求項１９】
交流電圧源に接続可能でありかつ通常モード及びスタンドバイモードのそれぞれにおいて動作可能な電気デバイスであって、
通常モードの間に電力を供給するための主電源と、
上記主電源をオン及びオフに切り換えるための制御器と、
スタンドバイモードの間に上記主電源をオンに切り換えるために上記制御器に電力を供給するための予備電源とを備え、
上記予備電源は、
ａ）一次側の一次巻線と二次側の二次巻線とを備える変圧器であって、上記一次巻線は交流電圧源に接続可能であり、上記二次側の回路は上記電気デバイスに直流出力電圧を供給するように設けられる変圧器と、
ｂ）上記変圧器の一次巻線と上記交流電圧源との間のスイッチと、
ｃ）上記交流電圧を整流するための整流器とを備え、
上記スイッチは、上記整流された交流電圧がゼロから極大値に増加しているときのある時点で、かつ上記整流された交流電圧が非ゼロ値まで増加するとオンに切り換わり、これにより、上記一次巻線に電流の流れを供給し、それにより、上記二次巻線に電流の流れを供給するように設けられ、
上記スイッチは、上記整流された交流電圧が再び増加し始める前にオフに切り換わるように設けられる電気デバイス。
【請求項２０】
上記予備電源はさらに、上記一次巻線に流れる電流の量を制限するように設けられる電流制限器を含む請求項１９記載の電気デバイス。
【請求項２１】
上記電流は、上記スイッチがオフに切り換えられるときに、上記二次巻線に流れる請求項１９記載の電気デバイス。
【手続補正２】
【補正対象書類名】明細書
【補正対象項目名】００８６
【補正方法】変更
【補正の内容】
【００８６】
装置６１１はスイッチングデバイスであって、スイッチがオンであるときは一次巻線に電流ドレインが存在し、かつスイッチがオフであるときは一次巻線に電流ドレインが存在し、ないように整流された交流電圧と変圧器Ｘ１の一次巻線との間に位置づけられるＭＯＳＦＥＴスイッチングデバイスである。抵抗器Ｒ１及びキャパシタＣ４は合わせて、後述するようにスイッチコントローラ６１０によりスイッチ６１１の切り換えのタイミングを制御するＲＣタイマ１０７を構成する。さらに、損失を防止すべく最小限の電流ドレインが存在するように、抵抗器Ｒ１は大きく、キャパシタＣ４は小さく選択される。スイッチコントローラ６１０（２つのトランジスタＱ１１及びＱ１２、ツェナーダイオードＤ１１ならびに２つの抵抗器Ｒ１２及びＲ１３により構成される）は、変圧器Ｘ１に接続される。トランジスタＱ１１及びＱ１２は、サイリスタデバイスを構成する。
【手続補正３】
【補正対象書類名】図面
【補正対象項目名】図１２
【補正方法】変更
【補正の内容】
【図１２】
2008533971.tif 000001
【手続補正４】
【補正対象書類名】図面
【補正対象項目名】図１９
【補正方法】変更
【補正の内容】
【図１９】
2008533971.tif 000002
【手続補正５】
【補正対象書類名】図面
【補正対象項目名】図２０
【補正方法】変更
【補正の内容】
【図２０】
2008533971.tif 000003